(57)【特許請求の範囲】
【請求項１】
無線通信ネットワークで用いられるベース送受信局に実装される方法であって、
ユニキャストデータとマルチメディアブロードキャストマルチキャストサービス（ＭＢＭＳ）データとを一伝送時間間隔（ＴＴＩ）の中に含む時間ドメイン信号を生成する工程と、
前記時間ドメイン信号をユーザ機器に送信する工程と、を含み、
前記時間ドメイン信号は前記ユニキャストデータと前記ＭＢＭＳデータとを多重化することで生成され、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、方法。
【請求項２】
無線通信ネットワークで用いられるユーザ機器に実装される方法であって、
所定の時間ドメイン信号をベース送受信局から受信する工程を含み、
前記時間ドメイン信号はユニキャストデータとマルチメディアブロードキャストマルチキャストサービス（ＭＢＭＳ）データとを多重化することで生成され、該ユニキャストデータと該ＭＢＭＳデータとを一伝送時間間隔（ＴＴＩ）の中に含んでおり、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、方法。
【請求項３】
無線通信ネットワークに実装される方法であって、
ユニキャストデータとマルチメディアブロードキャストマルチキャストサービス（ＭＢＭＳ）データとを一伝送時間間隔（ＴＴＩ）の中に含む時間ドメイン信号を生成する工程と、
前記時間ドメイン信号をベース送受信局からユーザ機器に送信する工程と、を含み、
前記時間ドメイン信号は前記ユニキャストデータと前記ＭＢＭＳデータとを多重化することで生成され、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、方法。
【請求項４】
無線通信ネットワークで用いられるベース送受信局であって、
ユニキャストデータとマルチメディアブロードキャストマルチキャストサービス（ＭＢＭＳ）データとを一フレームの中に含む時間ドメイン信号を生成する生成手段と、
前記時間ドメイン信号をユーザ機器に送信する送信手段と、を含み、
前記時間ドメイン信号は前記ユニキャストデータと前記ＭＢＭＳデータとを多重化することで生成され、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、ベース送受信局。
【請求項５】
無線通信ネットワークで用いられるユーザ機器であって、
所定の時間ドメイン信号をベース送受信局から受信する受信手段を含み、
前記時間ドメイン信号はユニキャストデータとマルチメディアブロードキャストマルチキャストサービス（ＭＢＭＳ）データとを多重化することで生成され、該ユニキャストデータと該ＭＢＭＳデータとを一伝送時間間隔（ＴＴＩ）の中に含んでおり、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、ユーザ機器。
【請求項６】
無線通信ネットワークであって、
所定の時間ドメイン信号を送信するベース基地局と、
前記時間ドメイン信号を受信するユーザ機器と、を含み、
前記時間ドメイン信号はユニキャストデータとマルチメディアブロードキャストマルチキャストサービス（ＭＢＭＳ）データとを多重化することで生成され、該ユニキャストデータと該ＭＢＭＳデータとを一伝送時間間隔（ＴＴＩ）の中に含んでおり、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、無線通信ネットワーク。
【発明の詳細な説明】
【技術分野】
【０００１】
本発明は、無線通信ネットワークにおけるマルチキャスト及びユニキャストサービスをサポートする方法及びシステムに関するものである。好ましい実施形態では、本発明は、直交周波数分割周波数多重アクセス（ＯＦＤＭＡ）を使用した無線通信ネットワークにおいてマルチメディアブロードキャストマルチキャスト（マルチキャスト）サービス（ＭＢＭＳ）及びユニキャストサービスを提供する方法及びシステムに関する。
【背景技術】
【０００２】
将来の高データ転送速度及びサービスの質の改善に対するユーザーの要求の先行する増加に応じるために、３ＧＧＰが識別され、ダウンリンク方向においては１００ＭＢＰＳまでのデータ転送速度またアップリンク方向では５０ＭＢＰＳまでのデータ転送速度を提供する、長期の媒体（メディア）の配置用の新しいネットワークの開発することが望ましい。この増大したデータ転送速度を許容の質で達成するために、かかるネットワークはＯＦＤＭＡを実施し、２０ＭＨｚの最大ダウンリンク伝送帯域幅をもつ。
【０００３】
前記の所望の２０ＭＨｚのピーク帯域幅基準にもかかわらず、ある理由又は他の理由で、５ＭＨｚ、１０ＭＨｚ、１５ＭＨｚ、或いは１．２５ＭＨｚ又は２．５ＭＨｚのような低い帯域幅をもつセル（領域）も存在している。また種々の受信能力すなわち受信帯域幅をもつＵＥ（ユーザー機器）がかかるネットワークと通信できることが望ましい。認識されるように、比較的高い能力の送受話器は比較的複雑であり従って比較的高価であり、そのためユーザーの中には比較的安価な送受話器を得る行動に移っている。
【発明の概要】
【発明が解決しようとする課題】
【０００４】
次世代のネットワークに包含される３ＧＰＰによって識別されたサービスの一つに、マルチメディアブロードキャストマルチキャスト（グループ同報）サービス（ＭＢＭＳ）がある。ＭＢＭＳは現在３Ｇネットワークにおいてサポートされているが、次世代のネットワークでそれを実施することは、かかるネットワークでは近年ＷＣＤＭＡよりむしろＯＦＤＭＡが使用されているため、相当に難しい。従って、将来これらのネットワークにおいてＭＢＭＳを配置できるシステム及び方法を提供する必要がある。
【０００５】
さらに、これらの将来のシステムの拡張帯域幅のために、ＭＢＭＳのあらゆる配置体系はＭＢＭＳサービスと同時にユニキャストサービスを伝送できることが望ましい。従って、ＭＢＭＳとユニキャストサービスとの間で物理的に資源を共用できるシステム及び方法が必要である。
【課題を解決するための手段】
【０００６】
本発明の第１の観点によれば、無線通信ネットワークで用いられるベース送受信局に実装される方法であって、ユニキャストデータとマルチメディアブロードキャストマルチキャストサービス（ＭＢＭＳ）データとを一伝送時間間隔（ＴＴＩ）の中に含む時間ドメイン信号を生成する工程と、前記時間ドメイン信号をユーザ機器に送信する工程と、を含み、前記時間ドメイン信号は前記ユニキャストデータと前記ＭＢＭＳデータとを多重化することで生成され、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、方法が提供される。
【０００７】
本発明の第２の観点によれば、無線通信ネットワークで用いられるユーザ機器に実装される方法であって、所定の時間ドメイン信号をベース送受信局から受信する工程を含み、前記時間ドメイン信号はユニキャストデータとマルチメディアブロードキャストマルチキャストサービス（ＭＢＭＳ）データとを多重化することで生成され、該ユニキャストデータと該ＭＢＭＳデータとを一伝送時間間隔（ＴＴＩ）の中に含んでおり、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、方法が提供される。
【０００８】
本発明の第３の観点によれば、無線通信ネットワークに実装される方法であって、ユニキャストデータとマルチメディアブロードキャストマルチキャストサービス（ＭＢＭＳ）データとを一伝送時間間隔（ＴＴＩ）の中に含む時間ドメイン信号を生成する工程と、前記時間ドメイン信号をベース送受信局からユーザ機器に送信する工程と、を含み、前記時間ドメイン信号は前記ユニキャストデータと前記ＭＢＭＳデータとを多重化することで生成され、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、方法が提供される。
【０００９】
本発明の第４の観点によれば、無線通信ネットワークで用いられるベース送受信局であって、ユニキャストデータとマルチメディアブロードキャストマルチキャストサービス（ＭＢＭＳ）データとを一フレームの中に含む時間ドメイン信号を生成する生成手段と、前記時間ドメイン信号をユーザ機器に送信する送信手段と、を含み、前記時間ドメイン信号は前記ユニキャストデータと前記ＭＢＭＳデータとを多重化することで生成され、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、ベース送受信局が提供される。
【００１０】
本発明の第５の観点によれば、無線通信ネットワークで用いられるユーザ機器であって、所定の時間ドメイン信号をベース送受信局から受信する受信手段を含み、前記時間ドメイン信号はユニキャストデータとマルチメディアブロードキャストマルチキャストサービス（ＭＢＭＳ）データとを多重化することで生成され、該ユニキャストデータと該ＭＢＭＳデータとを一伝送時間間隔（ＴＴＩ）の中に含んでおり、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、ユーザ機器が提供される。
【００１１】
本発明の第６の観点によれば、無線通信ネットワークであって、所定の時間ドメイン信号を送信するベース基地局と、前記時間ドメイン信号を受信するユーザ機器と、を含み、前記時間ドメイン信号はユニキャストデータとマルチメディアブロードキャストマルチキャストサービス（ＭＢＭＳ）データとを多重化することで生成され、該ユニキャストデータと該ＭＢＭＳデータとを一伝送時間間隔（ＴＴＩ）の中に含んでおり、該ユニキャストデータには短い循環前置子が用いられ、該ＭＢＭＳデータには長い循環前置子が用いられ、該ＭＢＭＳデータは単一周波数ネットワーク（ＳＦＮ）を介して提供されるとともに、ＭＢＭＳ制御チャンネル及びＭＢＭＳデータチャンネルがＭＢＭＳセルグループ内の複数のセルにおいて単一の周波数帯で送信されることを特徴とする、無線通信ネットワークが提供される。
【図面の簡単な説明】
【００１２】
【図１】本発明の第１の実施形態によるネットワーク動作で動作するベース局送信機及び二つのＵＥを示す概略線図である。
【図２】本発明の第２の実施形態によるネットワーク動作で動作するベース局送信機及び二つのＵＥを示す概略線図である。
【図３】本発明の実施形態による２０ＭＨｚ帯域幅セル（領域）で５ＭＨｚ、１０ＭＨｚ、１５ＭＨｚ及び２０ＭＨｚ受信能力をもつＵＥに対する帯域幅割当てをマッピングする種々の任意選択事項を示す図である。
【発明を実施するための形態】
【００１３】
以下、添付図面を参照して単に本発明を限定しない例として本発明の好ましい実施形態について説明する。
【００１４】
３ＧＰＰで適用される専門用語を用いて好ましい実施形態を説明するのがよいが、しかし、本発明は、３ＧＰＰ規格に従って動作するネットワークへの応用に限定されると考えるべきでない。
【００１５】
以下本発明の好ましい実施形態を、５ＭＨｚ、１０ＭＨｚ、１５ＭＨｚ及び２０ＭＨｚ受信帯域幅をもつＵＥを備えたＯＦＤＭＡ通信ネットワークに関連して説明する。ネットワークにおける最低能力のＵＥでサポートされる最大受信帯域幅は５ＭＨｚであると仮定する。これは、現在のＷＣＤＭＡ  ＵＥが５ＭＨｚ受信帯域幅をもつので妥当な仮定であり、そして将来ＵＥはこの規格を少なくともサポートすることが期待される。またＵＥは単一の５ＭＨｚ幅のＭＢＭＳデータ流を受信する能力をもつと仮定する。この仮定は、ＷＣＤＭＡネットワークにおけるＭＢＭＳの現在のＲｅｌ’６  ３ＧＰＰ仕様に基づいている。好ましい実施形態では、ダウンリンク伝送処理及び伝送のパラメータは表１に示すとおりである。
【００１６】
【表１】
0005273421.tif 000002
【００１７】
本発明は、前記の特定の例示帯域幅及びＵＥ能力に限定されず、拡張性のある送信帯域幅及び異なる受信帯域幅のＵＥをもつネットワークにほぼ適用できることが理解されるべきである。
【００１８】
要するに、本発明の実施形態は、全てのＭＢＭＳサービスの伝送に専用のネットワークの伝送帯域幅内で単一周波数ネットワーク（ＳＦＮ）を有効に規定することによって動作する。各領域の残りの伝送帯域幅は、ユニキャストデータを伝送するのに用いることができる。好ましくは、ＳＦＮは、規格のＵＥ  ＭＢＭＳ受信帯域幅能力に等しい帯域幅で伝送され、かかる帯域幅は好ましい実施形態では５ＭＨｚであると仮定される。さらに、例示した実施形態では、各ＭＢＭＳサービスは別個の伝送時間間隔（ＴＴＩ）で伝送される。これにより、ＵＥが単に関心のある単数又は複数のＭＢＭＳサービスに相当したＴＴＩでＭＢＭＳデータを受信する必要があるだけであるので、ＵＥにおいて有効なスリープモードを実行することができる。全てのセルにおけるＭＢＭＳ信号は同一伝送帯域に限定されるので、受信した複数通路信号間の時間遅延は比較的長い。従って、ネットワークがＭＢＭＳデータを伝送している際に、長い遅延に対処しそしてインターセル同期化要求を和らげるために長い循環前置子（ＣＰ）が用いられる。
【００１９】
本発明の二つの例示実施形態を以下、添付図面の図１及び図２に関連して説明する。
【００２０】
図１は、二つのＵＥ１０２、１０４と通信するベース送受信局（ＢＴＳ）１００の概略図である。ＢＴＳ１００の伝送帯域幅は２０ＭＨｚであり、一方ＵＥ１０２の受信帯域幅は５ＭＨｚであり、ＵＥ１０４の受信帯域幅は２０ＭＨｚである。この例では、ＢＴＳ１００はＭＢＭＳサービスと共にユニキャストサービスを伝送している。ＵＥ１０２、１０４の両方はＭＢＭＳサービスを受信するようにスケジュールされ、ＵＥ１０４だけがユニキャストデータを受信するようにされている。
【００２１】
両方のサービスを同時に伝送するために、ＢＴＳはＭＢＭＳ及びユニキャストサービスを多重化する必要がある。この実施形態では、ネットワークは、ＭＢＭＳサービスを伝送するために使用されることになる全てのＢＴＳに対して周波数スペクトルの予め規定した部分を指定して、ＭＢＭＳサービスを伝送するネットワークの伝送スペクトル内に単一周波数ネットワークを有効に規定する。
【００２２】
この例では、ＢＴＳは、ＭＢＭＳサービスの伝送のために副搬送波の第１のブロックを割当て、ユニキャストサービスの伝送のために副搬送波の第２のブロックを割当てることによって周波数ドメインにおける多重化を実行する。ネットワークにおける他の全てのＢＴＳもまたＭＢＭＳサービスの伝送のために副搬送波の同じブロックを割当て、そしてそれらの帯域幅がその帯域より大きい場合には、それらはユニキャストサービスの伝送のために残りの帯域幅を割当てできる。
【００２３】
データを周波数多重化した後、副搬送波の全セット（ＢＴＳ１００が２０ＭＨｚの伝送帯域幅を持っているので、この例では１２０−１である）は逆高速フーリエ変換（ＩＦＦＴ）ブロック１１０によって時間ドメイン信号に変換される。ＩＦＦＴは、時間ドメイン信号を発生するために送信機の全周波数帯域に加えられる。例示実施形態では、適用したＩＦＦＴは２０４８ポイントＩＦＦＴであるが、送信機の利用可能な帯域幅に関連して他のＩＦＦＴサイズを用いることができる（前記表１参照）。各キャンピング帯域における別個のＩＦＦＴを実施するよりはむしろ、副搬送波の全セットにわたって単一のＩＦＦＴが実施される。これにより、単に送信機の帯域幅に関連するサイズをもつ単一のＩＦＦＴブロックが各送信機アンテナに対して必要とされるので、ベース送受信局構造は簡単化される。
【００２４】
ＯＦＤＭＡシステムには普通のように、次に、１１２において当業者に知られた仕方で、時間ドメイン信号に循環前置子が付加される。比較的ワイドなネットワーク内に単一周波数ネットワークが規定されるので、多くのＢＴＳはデイム時間に同じＭＢＭＳデータを伝送し、従って、広く変動する遅延をもってＵＥは多くのマルチパス信号を見ることができる。従って、ＭＢＭＳサービスが伝送されることになる伝送時間間隔（ＴＴＩ）においては、ブロック１１２によって時間ドメイン信号に長い循環前置子が付加される。逆に、ＭＢＭＳが伝送されることにならないＴＴＩでは、オーバーヘッドを最少化するために短い循環前置子を用いることができる。
【００２５】
そしてこの信号は、ベース局送信機１１６によって伝送する前に１１４でさらに処理される。そして伝送された信号はＵＥ１０２、１０４の各々によって受信される。
【００２６】
伝送されたＭＢＭＳサービスを受信するために、ＵＥ１０２、１０４の各々はそれの搬送波周波数を適当な中心周波数、すなわちＵＥ１０２に対してＭＢＭＳデータを伝送する伝送スペクトルの部分及びＵＥ１０４に対してＢＴＳ伝送スペクトルの中心に同調する。
【００２７】
ＵＥ１０２の受信帯域幅の限定のために、全２０ＭＨｚ伝送帯域幅の５ＭＨｚ部分だけがＲＦブロック１１８−１を用いてＵＥ１０２で受信される。逆に、ＵＥ１０４は２０ＭＨｚの受信帯域幅をもっているので、ＭＢＭＳサービスを搬送する伝送信号の部分を含む伝送帯域幅の全てが受信される（ＲＦブロック１１８−２を用いて）。
【００２８】
次に、受信した信号は別のＲＦ処理を受けそしてアナログ・デジタル変換（図示していない）される。好ましい実施形態では、Ａ／Ｄ変換ブロック（図示していない）の出力におけるデジタルサンプルのサンプリング周波数は、ＵＥ１０２では７．６８ＭＨｚであり、ＵＥ１０４では３０．７２ＭＨｚである。その後循環前置子はＵＥ１０２、１０４におけるブロック１２０−１、１２０−２で除去される。
【００２９】
前述のように、ＣＰの長さは、ＭＢＭＳサービスが特定のＴＴＩで伝送されているかどうかに関連して変化する。従って、ＵＥはＣＰの長さが変化した時にその変化を知る必要がある。ＭＢＭＳサービスを受信しているＵＥ、例えばＵＥ１０２、１０４について、これらのＵＥがマルチキャスト制御チャンネル（ＭＣＣＨ）をきちんとモニタするので、これは比較的真直ぐに進む。しかし、いかなるＭＢＭＳサービスにも加入しない又はＭＢＭＳを受信できない他のＵＥもネットワークに存在し得る。これらのＵＥはＭＣＣＨをモニタせず、従って、ＣＰの長さの変化について知る別の機構を必要とする。第１の実施形態では、ＵＥは、ＣＰの長さの盲目的な検知を行なわないようにできる。これは、当業者に知られた標準の方法を用いて行われる。代わりに、ＭＣＣＨ、又は他の制御チャンネルは、全てのＵＥが、ＭＢＭＳトラフィクチャンネル（ＭＴＣＨ）を含んでいるＴＴＩを知らせる信号を受けるように構成できる。
【００３０】
図１に戻って、両ＵＥは、それぞれＵＥ１０２、１０４におけるブロック１２２−１、１２２−２においてＦＦＴを実行して、時間ドメイン信号を周波数ドメイン信号に変換する。最初に無線同調ステップが行われるので、実行したＦＦＴのサイズは、ＵＥの受信帯域幅によって指定され、セル伝送帯域内の所望の副搬送波の位置によって指定されない。表１から分かるように、ＵＥ１０２は、受信帯域幅が５ＭＨｚであり、ＭＢＭＳサービスを含む３０１副搬送波だけを抽出するように求めているので、常に５１２ポイントＦＦＴを用いる。同様に、ＵＥ１０４は、受信帯域幅が２０ＭＨｚであるので、常に２０４８ポイントＦＦＴを用いる。
【００３１】
図２は、二つのＵＥ２０２、２０４と通信するベース送受信局（ＢＴＳ）２００の概略図である。図１に示すように、ＢＴＳ２００の伝送帯域幅は２０ＭＨｚであり、またＵＥ２０２の受信帯域幅は５ＭＨｚであり、ＵＥ２０４の受信帯域幅は２０ＭＨｚである。この例では、ＢＴＳ２００はＭＢＭＳサービスと共にユニキャストサービスを伝送している。両ＵＥ２０２、２０４はＭＢＭＳサービスを受信するようにスケジュールされ、ＵＥ２０４だけがユニキャストデータを受信するようにされている。この実施形態は、ＢＴＳで用いた多重化方法において、図１のものと異なっている。この実施形態では、ＭＢＭＳデータを周波数多重化するのではなく、多重化された信号を一つの操作で時間ドメイン信号に変換することによって、この実施形態は、二つの別個のＩＦＦＴを実行し、周波数多重化した信号を時間ドメインに結合している。図面を参照すると、図１の場合のように、ＭＢＭＳデータは、副搬送波の第１の帯域２０６に規定され、またユニキャストデータは副搬送波の第２のグループすなわち帯域２０８に規定される。これらの帯域２０６、２０８はオーバーラップせず、従って副搬送波の各グループにおける信号間に干渉がない。大きな受信帯域幅のＵＥの複雑さを最少化するために、ＭＢＭＳ副搬送波ブロック２０６は、ＢＴＳの伝送スペクトルの一縁部に配置される。副搬送波の各セット２０６、２０８は、ＩＦＦＴブロック２１０、２１２によって時間ドメイン信号に別個に変換される。信号の直交性を維持するために、両ＩＦＦＴブロックは同じ長さのものであり、ＢＴＳ２００の伝送スペクトルの全幅をスパンする。
【００３２】
次に、ユニキャストデータを搬送する時間ドメイン信号は、ブロック２１２によって付加された循環前置子（ＣＰ）をもっている。ＢＴＳ２００はこのデータを伝送するＢＴＳだけであるので、ユニキャストデータ信号に対して短いＣＰが用いられる。ＭＢＭＳデータを搬送する時間ドメイン信号はまた（ブロック２１０で）付加された循環前置子（ＣＰ）をもっている。しかし、他のＢＴＳで同じデータを伝送するので、長いＣＰはブロック２１０によって付加される。
【００３３】
二つの時間ドメイン信号は２１４で加算され、そして２０６でＲＦ処理を受け、そしてベース局送信機２１８によって伝送される。そして伝送信号はＵＥ２０２、２０４の各々で受信される。
【００３４】
ＵＥ２０２は図１のＵＥ１０２と同様にして動作し、従って詳細には説明しない。
【００３５】
しかし、ＵＥ２０４は、前述の実施形態と異なり、ＭＢＭＳデータ及びユニキャストデータを別個に処理する二つのＲＦ処理部分を備えており、その結果長さの異なる二つのＦＦＴブロックも備えている。ＵＥ２０４において、受信ＲＦ信号は二つの構成成分に分割され、一方の構成成分は、ＲＦブロック２２０で処理されるＭＢＭＳデータを搬送する５ＭＨｚであり、他方の構成成分は、ＲＦブロック２２２で処理されるユニキャストデータを搬送する１５ＭＨｚである。
【００３６】
ユニキャスト信号及びマルチキャスト信号のＣＰは異なるので、二つのＣＰ除去ブロックは互いに異なっている。ＭＢＭＳ信号に対するＣＰ除去ブロック２２４は、ＭＢＭＳ時間ドメイン信号に付加された長いＣＰを除去するように構成され、一方、ユニキャスト信号に対するＣＰ除去ブロック２２６は、ユニキャスト時間ドメイン信号に付加された短いＣＰを除去するように構成される。
【００３７】
この実施形態では、ＣＰ除去ブロック２２４がＭＢＭＳデータにおいて動作するのみであるように構成されるので、ＵＥは、ＣＰ長さの変動を知る必要がない。
【００３８】
次に、二つの信号は時間ドメインに変換される。ＭＢＭＳストリームは、ネットワークにおいて規定された５ＭＨｚの広いＭＢＭＳ伝送帯域に相当した５１２ポイントＦＦＴブロック２２８を用いて変換され、またユニキャストストリームは、ＵＥ２０４の残りの１５ＭＨｚの広い受信帯域幅に相当した１５３６ポイントＦＦＴブロック２３０を用いて変換される。ＵＥ２０４はまた、ＵＥの複雑さに相当に付加される、一つの信号として全２０ＭＨｚ帯域幅を処理する際に用いるサイズ２０４８をもつＦＦＴブロックを備えている。認められるように、ＭＢＭＳ（又は他のマルチキャストサービス）は全てのＴＴＩにおいてアクティブでない。従って、ＵＥは常にマルチキャストデータを受信する必要がなく、或いはマルチキャストデータをすぐに受信できる必要がない。従って、ネットワークで行なわれることになるＭＢＭＳデータの伝送に関する信号データがある特定のレベルである必要でない。３ＧＰＰＲｅｌ’６仕様に基づく現在のネットワークでは、制御チャンネル（ＭＣＣＨ）はセル対セルに基いて規定される。しかし、ＭＴＣＨが単一周波数ネットワーク（ＳＦＮ）を介して提供される実施形態では、そうではなく、ＭＣＣＨはＳＦＮを介して提供され得る。
【００３９】
本発明の好ましい実施形態では、ＭＢＭＳ制御及びデータチャンネルは、ＭＢＭＳセルグループにおける全てのセルにおいて同じ周波数で伝送されるべきである。このセルグループは一般的には、ネットワーク（この場合５ＭＨｚであると仮定される）におけるＵＥの規定したＭＢＭＳ受信能力と同じ伝送帯域幅をもつ。ＭＢＭＳに対して用いられる帯域に関する情報及びＭＣＣＨの形態は（ＵＥがＭＣＣＨを受信できるように）、セルグループにおける各セルからブロードキャストチャンネルに伝送される。
【００４０】
ＭＢＭＳに関心のあるＵＥは少なくとも変更期間毎にＭＣＣＨを読取るように要求される。ある状況では、これは、ＵＥがＭＣＣＨを受信するようにキャンプ帯域からＭＢＭＳ帯域にＲＦを同調させる必要がある。例えば、図３には、５ＭＨｚ、１０ＭＨｚ、１５ＭＨｚ及び２０ＭＨｚの受信帯域幅をもつＵＥの場合における２０ＭＨｚ帯域幅セルに対する例示帯域割当て体系を例示している。セル帯域幅は周波数軸線３００で表わされ、この周波数軸線３００には、ｆ−６００〜ｆ＋６００の１２０１副搬送波周波数範囲を例示する副搬送波において（Ｈｚではなく）目盛り付けされている。表１に示すシステムパラメータを用いることによって、これは、２０ＭＨｚの伝送帯域幅に等しく見られ得る。ｆ０を中心とするブロック３０２は共通の帯域であり、セルの同期チャンネル、ＢＣＨ、ＰＣＨ及びＳＣＨが伝送される。帯域３０４〜３３０は、この２０ＭＨｚセルにおいて動作する可能な”キャンピング帯域”のセットを例示している。
【００４１】
図３において、全てのＭＢＭＳ制御及びデータが中央の５ＭＨｚ帯域３００すなわち共通帯域において伝送され、ＵＥが非中央帯域、例えば帯域３１４、３１６、３１８、３２２又は３２４〜３３０においてキャンピングされる場合に、ＵＥは、ＭＣＣＨを読取り又はＭＴＣＨを受信するためにＲＦを切り替える必要がある。この場合、システムがそのＵＥに対して連続したＴＴＩにおいてＭＢＭＳ及びユニキャストデータをスケジュールする場合に、ＵＥがそれのＲＦ帯域を切り替えるのに幾分時間がかかるので、両ＴＴＩを受信することは可能でない。
【００４２】
この起こり得る問題は、幾つかの方法の一つで対処できる。
【００４３】
第１の実施形態では、ＢＴＳのスケジュラーは、ＭＢＭＳ  ＴＴＩのバーストの前及び／又は後に予定の数のＴＴＩについてＭＢＭＳを受信するようにＲＦ周波数を切り替えるのに必要なＵＥに対して、ユニキャストデータをスケジュールしないように構成され得る。
【００４４】
しかし、どのＴＴｉにおいてどのＵＥがどのＭＢＭＳサービスを受信しているか知らないノードＢ  ＭＡＣでスケジューリングが行なわれるので、この解決法は、ＵＥがどのＭＢＭＳサービスを受信しているかをスケジュラーに知らせる必要がある。この解決法は、多数のサービスが含まれる場合に、アップリンク信号が非常に高価となり得るので、理想的ではない。さらに、スケジュラーはＭＣＣＨの詳細を知るように構成されなければならない。
【００４５】
好ましい実施形態では、ＵＥは自律的に動き、或いはＭＢＭＳ帯域（例えば前記の例では共通の帯域）においてキャンプし且つその帯域における共用チャンネルをモニタするように動く必要がある。この場合、ＵＥは、ＭＢＭＳ帯域においてキャンプするように動いたことをスケジュラーに知らせるようにそのスケジュラーに信号を送らなければならない。あるアップリング信号が必要ではあるが、第１の実施形態におけるより少ない。
【００４６】
別の実施形態では、ＭＢＭＳデータが伝送されることになる際に、システムは、ＭＢＭＳ帯域にキャンピングしていないＵＥを単純に動かすことができる。しかしまた、この解決法は、幾つかのＵＥがいかなるＭＢＭＳサービスも受信していないので理想的ではなく、その帯域に置いて輻輳したスペクトルを共用するように強制される。
【００４７】
第４の代わりの実施形態では、この問題の解決法はＵＥにゆだねられ得る。３ＧＰＰＲｅｌ’６の場合のように、ＵＥはどのサービスが優先されるのが相応しいかを決めることをゆだねられ得る。しかし、この解決法は、スケジュールされたユニキャストデータがＵＥによってＭＢＭＳより優先順序が低く、しかもユニキャストデータがＭＢＭＳ及びユニキャスト帯域の間のＲＦ切換えのため受信されない場合に無駄な手段となる。
【００４８】
本発明は、前述のＭＢＭＳ、受信、共通及びキャンピング帯域の定義が幾分任意であるので、これらの帯域に限定されると解釈されるべきでない。より多くの（又はより少ない）帯域を規定することができる。例えば２０ＭＨｚの帯域幅セルにおいて、１５ＭＨｚ帯域は、ｆ−１５０とｆ＋１５０との間の任意の中心周波数で規定され得る。同様に、１０ＭＨｚ帯域は、ｆ−３００とｆ＋３００との間の任意の中心周波数で規定され得る。また共通帯域はセルの帯域幅に沿った任意の点に規定され得る。本発明は、ＭＢＭＳサービスの伝送に関連して説明してきたが、しかし本発明はこの応用に限定されるものではなく、他の形式のマルチキャストデータの伝送に適用できることが認められるべきである。
【００４９】
本明細書で成された説明は、５ＭＨｚ（又はそれ以下）のような低いセル帯域幅に対して全てのＵＥが全伝送帯域幅を受信でき、その場合ＭＢＭＳ及びユニキャストデータが一つのＴＴＩで多重化され得るので、セル帯域幅が１０ＭＨｚ又はそれ以上である場合に限定されないことが認められる。
【００５０】
本明細書で説明し規定した本発明は、明細書又は図面から明らかな二つ以上の個々の特徴の全ての組合せに及ぶことが理解される。これらの種々の組合せの全ては本発明の種々の代わりの特徴を構成する。
【産業上の利用可能性】
【００５１】
本発明は、無線通信ネットワークにおけるマルチキャスト及びユニキャストサービスをサポートするのに好適である。
【符号の説明】
【００５２】
１００  ベース送受信局
１０２  ＵＥ
１０４  ＵＥ
【図１】
0005273421.tif 000003
【図２】
0005273421.tif 000004
【図３】
0005273421.tif 000005